(57)【要約】【課題】画像を印刷する時のノイズ状態を事前に確認できるようにする。【解決手段】高品位用紙であるか低品位用紙であるかの印刷特性情報と、ＣＲＴであるか液晶ディスプレイであるかの表示特性情報と、画像データの表示倍率及び輝度値の画像特性情報とからノイズデータを算出し、元の画像データにノイズデータを付与した表示用データを表示装置１０２に表示させるようにして、印刷結果にユーザの意図しないノイズが表れるという事態を回避できるようにする。【選択図】図１
2008141529.tif 000002
【特許請求の範囲】
【請求項１】
画像データを表示装置に表示して画像化する画像表示手段と、
前記表示装置の種類または特性情報についての表示特性情報を取得する表示特性情報取得手段と、
前記画像データを印刷する印刷用紙の特性についての印刷特性情報を取得する印刷特性情報取得手段と、
前記表示装置に表示する画像データの特性についての画像特性情報を取得する画像特性情報取得手段と、
前記表示特性情報、印刷特性情報、及び画像特性情報に基づいて、前記画像データに対するノイズデータを算出するノイズデータ算出手段とを備え、
前記画像表示手段は、前記表示装置に前記画像データを表示する際に、前記画像データに前記ノイズデータを付与した表示用データを表示することを特徴とする画像表示装置。
【請求項２】
前記画像特性情報は、少なくとも前記画像データの輝度値と表示倍率とを含むことを特徴とする請求項１に記載の画像表示装置。
【請求項３】
前記表示装置の特性情報は、表示性能のコントラスト値を含むことを特徴とする請求項１または２に記載の画像表示装置。
【請求項４】
前記ノイズデータ算出手段は、前記画像データの輝度値の低い部分ほどノイズデータを増加させることを特徴とする請求項１乃至３のいずれか１項に記載の画像表示装置。
【請求項５】
前記ノイズデータ算出手段は、前記画像データの表示倍率が低いほどノイズデータを増加させることを特徴とする請求項１乃至３のいずれか１項に記載の画像表示装置。
【請求項６】
前記画像データにシャープネス処理を行うシャープネス処理手段を備え、
前記ノイズデータ算出手段は、前記シャープネス処理手段によるシャープネス処理を前記画像データに行って印刷するときに、前記画像データに付与するノイズデータを算出することを特徴とする請求項１乃至５のいずれか１項に記載の画像表示装置。
【請求項７】
画像データを表示装置に表示して画像化する画像表示工程と、
前記表示装置の種類または特性情報についての表示特性情報を取得する表示特性情報取得工程と、
前記画像データを印刷する印刷用紙の特性についての印刷特性情報を取得する印刷特性情報取得工程と、
前記表示装置に表示する画像データの特性についての画像特性情報を取得する画像特性情報取得工程と、
前記表示特性情報、印刷特性情報、及び画像特性情報に基づいて、前記画像データに対するノイズデータを算出するノイズデータ算出工程とを備え、
前記画像表示工程においては、前記表示装置に前記画像データを表示する際に、前記画像データに前記ノイズデータを付与した表示用データを表示することを特徴とする画像表示装置の制御方法。
【請求項８】
前記画像特性情報は、少なくとも前記画像データの輝度値と表示倍率とを含むことを特徴とする請求項７に記載の画像表示装置の制御方法。
【請求項９】
前記表示装置の特性情報は、表示性能のコントラスト値を含むことを特徴とする請求項７または８に記載の画像表示装置の制御方法。
【請求項１０】
前記ノイズデータ算出工程においては、前記画像データの輝度値の低い部分ほどノイズデータを増加させることを特徴とする請求項７乃至９のいずれか１項に記載の画像表示装置の制御方法。
【請求項１１】
前記ノイズデータ算出工程においては、前記画像データの表示倍率が低いほどノイズデータを増加させることを特徴とする請求項７乃至９のいずれか１項に記載の画像表示装置の制御方法。
【請求項１２】
前記画像データにシャープネス処理を行うシャープネス処理工程を備え、
前記ノイズデータ算出工程においては、前記シャープネス処理工程におけるシャープネス処理を前記画像データに行って印刷するときに、前記画像データに付与するノイズデータを算出することを特徴とする請求項７乃至１１のいずれか１項に記載の画像表示装置の制御方法。
【請求項１３】
画像データを表示装置に表示して画像化する画像表示工程と、
前記表示装置の種類または特性情報についての表示特性情報を取得する表示特性情報取得工程と、
前記画像データを印刷する印刷用紙の特性についての印刷特性情報を取得する印刷特性情報取得工程と、
前記表示装置に表示する画像データの特性についての画像特性情報を取得する画像特性情報取得工程と、
前記表示特性情報、印刷特性情報、及び画像特性情報に基づいて、前記画像データに対するノイズデータを算出するノイズデータ算出工程とをコンピュータに実行させ、
前記画像表示工程においては、前記表示装置に前記画像データを表示する際に、前記画像データに前記ノイズデータを付与した表示用データを表示するようにコンピュータに実行させることを特徴とするプログラム。
【請求項１４】
請求項１３に記載のプログラムを記憶したことを特徴とするコンピュータ読み取り可能な記憶媒体。
【発明の詳細な説明】
【技術分野】
【０００１】
本発明は画像表示装置、画像表示装置の制御方法、プログラム及び記憶媒体に関し、特に、画像処理装置を用いた画像データのシャープネス処理（エッジ強調）におけるソフトプルーフ技術に用いて好適な技術に関する。
【背景技術】
【０００２】
一般に、画像データにシャープネス処理（アンシャープマスク）をかけると、画像データ中の細かなノイズが強調される。そのため、強いシャープネス処理を実行すればするほどノイズ出具合がひどくなってしまう。
【０００３】
一方、このようなシャープネス処理を実行した画像データを表示・印刷して画像化する場合、表示デバイスや印刷メディアの種類によって、シャープネスの利き具合やノイズの出具合に違いが現れる。そのため、表示デバイスで確認しながらシャープネス処理を実行しても、印刷時においてユーザの意図しないノイズが表れることもある。そこで、印刷時においては、印刷メディアに応じて画像処理の内容を切り換える画像処理装置が提案されている（例えば、特許文献１）。
【０００４】
【特許文献１】特開２００３−２５００４１号公報
【発明の開示】
【発明が解決しようとする課題】
【０００５】
しかし、特許文献１に記載の画像処理装置は、もともとノイズを主眼に表示デバイスでの見え方と印刷結果とを合わせるという概念がないため、印刷メディアに応じた画像処理のみではユーザの意図しないノイズが表れるという事態を回避することができなかった。その結果、表示デバイスを用いた作業を行っただけでは、ユーザはどの程度のノイズが印刷時に出るのか確認することができない問題点があった。
【０００６】
本発明は前述の問題点に鑑み、画像を印刷する時に出るノイズ状態を事前に確認できるようにすることを目的としている。
【課題を解決するための手段】
【０００７】
本発明の画像表示装置は、画像データを表示装置に表示して画像化する画像表示手段と、前記表示装置の種類または特性情報についての表示特性情報を取得する表示特性情報取得手段と、前記画像データを印刷する印刷用紙の特性についての印刷特性情報を取得する印刷特性情報取得手段と、前記表示装置に表示する画像データの特性についての画像特性情報を取得する画像特性情報取得手段と、前記表示特性情報、印刷特性情報、及び画像特性情報に基づいて、前記画像データに対するノイズデータを算出するノイズデータ算出手段とを備え、前記画像表示手段は、前記表示装置に前記画像データを表示する際に、前記画像データに前記ノイズデータを付与した表示用データを表示することを特徴とする。
【０００８】
本発明の画像表示装置の制御方法は、画像データを表示装置に表示して画像化する画像表示工程と、前記表示装置の種類または特性情報についての表示特性情報を取得する表示特性情報取得工程と、前記画像データを印刷する印刷用紙の特性についての印刷特性情報を取得する印刷特性情報取得工程と、前記表示装置に表示する画像データの特性についての画像特性情報を取得する画像特性情報取得工程と、前記表示特性情報、印刷特性情報、及び画像特性情報に基づいて、前記画像データに対するノイズデータを算出するノイズデータ算出工程とを備え、前記画像表示工程においては、前記表示装置に前記画像データを表示する際に、前記画像データに前記ノイズデータを付与した表示用データを表示することを特徴とする。
【０００９】
本発明のプログラムは、画像データを表示装置に表示して画像化する画像表示工程と、前記表示装置の種類または特性情報についての表示特性情報を取得する表示特性情報取得工程と、前記画像データを印刷する印刷用紙の特性についての印刷特性情報を取得する印刷特性情報取得工程と、前記表示装置に表示する画像データの特性についての画像特性情報を取得する画像特性情報取得工程と、前記表示特性情報、印刷特性情報、及び画像特性情報に基づいて、前記画像データに対するノイズデータを算出するノイズデータ算出工程とをコンピュータに実行させ、前記画像表示工程においては、前記表示装置に前記画像データを表示する際に、前記画像データに前記ノイズデータを付与した表示用データを表示するようにコンピュータに実行させることを特徴とする。
【００１０】
本発明の記憶媒体は、前記のプログラムを記憶したことを特徴とする。
【発明の効果】
【００１１】
本発明によれば、表示特性情報、印刷特性情報、及び画像特性情報に基づいて、画像データに対するノイズデータを算出し、表示装置に前記画像データを表示して画像化する際に、前記画像データに前記ノイズデータを付与した表示用データを表示するようにした。これにより、画像を印刷する時に出るノイズ状態を事前に確認することができる。
【発明を実施するための最良の形態】
【００１２】
（第１の実施形態）
以下、本発明の実施形態について、図面を参照しながら説明する。
本実施形態では、設定されたシャープネス強度、表示デバイスの種類、印刷メディアを元に、表示装置においてノイズ強調処理を実行する処理について説明する。
図１は、本実施形態における画像表示装置のシステム構成例を示すブロック図である。
図１において、入力装置１０１は、ユーザからの指示やデータを入力する装置であり、キーボードやマウスなどのポインティングデバイスを含む。表示装置１０２は、画像データやＧＵＩなどを表示する装置であり、通常はＣＲＴや液晶ディスプレイなどの表示デバイスが用いられる。
【００１３】
蓄積装置１０３は、画像データ、プログラム等を蓄積する装置で、通常は、ハードディスクが用いられる。ＣＰＵ１０４は、前述した各構成の処理の全てに関わり、システム全体を制御する。すなわち、後述する図示しない画像表示手段、表示特性情報取得手段、印刷特性情報取得手段、画像特性情報取得手段、ノイズデータ算出手段、及びシャープネス処理手段として機能する。
【００１４】
ＲＯＭ１０５及びＲＡＭ１０６は、その処理に必要なプログラム、データ、作業領域などをＣＰＵ１０４に提供する。また、図４で後述するフローチャートの処理に必要な制御プログラムは、蓄積装置１０３に格納されているか、ＲＯＭ１０５に格納されているものとする。蓄積装置１０３に格納されている場合は、一旦、ＲＡＭ１０６に読み出されてから実行される。
【００１５】
印刷装置１０７は画像データを印刷して画像化するプリンタである。印刷用紙は普通紙から光沢紙等を目的に応じて使い分けられ、外部からの要求に応じてもその切り換えを行う。なお、システム構成については、前記以外にも、様々な構成要素が存在するが、本実施形態の主眼ではないので、その説明は省略する。
【００１６】
本実施形態のシャープネス処理手段によるシャープネス処理は、アンシャープマスクである。アンシャープマスクは、画像データに対しボケ画像データを作成し、そのボケ画像データと、画像データとの差分を、元の画像データに足すことによって実行される。ボケ画像データは、図２に示すように、３×３の周辺画素を用いて作成される。
【００１７】
ａ（ｘ，ｙ）は、元の画像データの左上を（０，０）とした場合の座標（ｘ，ｙ）の画素値であり、ＲＧＢの各要素から成り立つ。以降、特に説明がない限り画素値の計算は、全てＲＧＢの各要素に対し行うものとする。画像データの左上の座標を（０，０）とした場合、ボケ画像データの座標（ｘ，ｙ）の画素値Ａ（ｘ，ｙ）は、以下の式（１）を用いて計算される。
Ａ（ｘ，ｙ）＝[ａ（ｘ−１，ｙ−１）＋ａ（ｘ，ｙ−１）＋ａ（ｘ＋１，ｙ−１）＋ａ（ｘ−１，ｙ）＋ａ（ｘ，ｙ）＋ａ（ｘ＋１，ｙ）＋ａ（ｘ−１，ｙ＋１）＋ａ（ｘ，ｙ＋１）＋ａ（ｘ＋１，ｙ＋１）]／９    ・・・式（１）
【００１８】
次に、元の画像データとボケ画像データとの差分を計算する。差分値をＢ（ｘ，ｙ）とすると、以下の式（２）によって計算される。
Ｂ（ｘ，ｙ）＝ａ（ｘ，ｙ）−Ａ（ｘ，ｙ）    ・・・式（２）
【００１９】
最後に、シャープネスの強度を、Ｓとした場合、シャープネス処理の実行後の画素値Ｃ（ｘ，ｙ）は、以下の式（３）によって計算される。
Ｃ（ｘ，ｙ）＝Ａ（ｘ，ｙ）＋Ｓ×Ｂ（ｘ，ｙ）    ・・・式（３）
【００２０】
このように全ての画素に対して計算することによって、シャープネス処理を実行できる。なお、本実施形態では、３×３の周辺画素を用いたアンシャープマスクを用いているが、５×５の周辺画素を用いてもよい。また、他のシャープネス処理を行ってもよい。
【００２１】
前述したように、このようなシャープネス処理を実行した場合、もともと画像データ中に存在していた細かなノイズ（ＣＣＤの特性などで発生するノイズ）が強調されてしまう。ノイズは、特に画像データの輝度値の低い部分（暗部）に多く発生し、シャープネス処理を実行した際には、画像データの暗部にノイズが目立つようになる。
【００２２】
また、表示デバイスや印刷メディアに応じて、ノイズの出具合が変化する。例えば、表示デバイスとしては、ＣＲＴや液晶ディスプレイが存在するが、ＣＲＴでは、表示がボケ気味になるのでノイズが目立ちにくい。逆に、液晶ディスプレイでは、表示がシャープなのでノイズが目立ちやすい。その他にも、表示デバイスのコントラスト比が高いほどノイズが目立ちやすいなどの特性がある。一方、印刷メディアも、高品位用紙では、印刷結果がシャープなのでノイズが目立ちやすいが、低品位用紙では、インクがにじみやすくノイズが目立ちにくい。
【００２３】
以上のような理由から、表示デバイスで画像データを確認しながらシャープネス処理を実行しても、印刷時には意図しないノイズが出てしまう場合がある。このような問題を解決するには、表示デバイス上で印刷結果をエミュレートし、ノイズが出ることをユーザにあらかじめ通知しなければならない。そのためには、表示時に画像データに対して、ノイズを強調する処理が必要である。すなわち、画像表示手段により元の画像データにノイズデータを付与した表示用データを表示装置１０２に表示させる必要がある。
【００２４】
ノイズを強調するためには、乱数を用いて画像データに対しランダムに画素値を変化させる。ここで乱数をＲとし、その範囲を０〜１０とする。また、ノイズの強調係数をＮとすると、ノイズデータを付与したノイズ強調後の画素値Ｄ（ｘ，ｙ）は、以下の式（４）によって計算される。
Ｄ（ｘ，ｙ）＝Ｃ（ｘ，ｙ）×Ｒ×Ｎ    ・・・式（４）
【００２５】
なお、Ｒの値は、０〜１０の範囲でランダムに決まる。一方、Ｎの値は、表示装置１０２、印刷メディア、画素の輝度値によって決まる値であり、表示装置１０２、印刷メディアに基づいて設定される値Ｍと、輝度値によって決まる値Ｙとを掛け合わせて計算される。すなわち、以下の式（５）によって計算される。
Ｎ＝Ｍ×Ｙ    ・・・式（５）
【００２６】
図３（ａ）に示す表３０１は、Ｍの値を求める際に用いる表である。印刷メディアとしては高品位用紙と低品位用紙とがあり、印刷特性情報取得手段によりその情報が取得される。また、表示装置１０２としてはＣＲＴと液晶ディスプレイとがあり、表示特性情報取得手段により取得される。そして、さらにそれぞれ画像データを等倍（５０％〜１００％）で表示した場合と、縮小表示（５０％未満）した場合とがあり、画像データの特性として画像特性情報取得手段により取得される。このように倍率によって場合分けしている理由は、縮小表示した場合、縮小の工程でノイズが消える可能性が高く、その分ノイズを強調する必要があるからである。
【００２７】
図３（ｂ）に示す表３０２は、画像データの特性として画像特性情報取得手段により取得される画素の輝度値からＹの値を求める際に用いる表である。輝度値は、ＲＧＢの各画素値をＲＧＢとすると、輝度値ｙは、以下の式（６）を用いて計算される。
ｙ＝０．３０６×ｒ＋０．６０１×ｇ＋０．１１７×ｂ    ・・・式（６）
【００２８】
このｙの値と表３０２とを用いて、Ｙの値を算出する。Ｙの値を用いるのは輝度成分の低い部分ほどノイズが出やすいためであり、表示時にも輝度成分の低い部分により多くのノイズを発生させるためである。
【００２９】
以上のように、ノイズデータ算出手段により、高品位用紙であるか低品位用紙であるかの印刷特性情報と、ＣＲＴであるか液晶ディスプレイであるかの表示特性情報と、画像データの表示倍率及び輝度値の画像特性情報とからノイズデータが算出される。そして、以上の処理を画像データの全ての画素に対して行うことによって、印刷時におけるノイズの出具合を表示デバイスでエミュレートすることが可能になる。
【００３０】
図４は、前述した処理をまとめたフローチャートである。
ステップＳ４０１では、表示装置１０２に表示するための画像データを格納する、メモリ領域ＭＲを、ＲＡＭ１０６に作成する。ここでメモリ領域ＭＲは、元の画像データのサイズよりも大きいものとする。
【００３１】
次に、ステップＳ４０２では、ユーザによって、シャープネス強度Ｓが設定されたか否かを判断する。この判断の結果、シャープネス強度Ｓが設定されていない場合は、設定されるまで待機する。一方、ステップＳ４０２の判断の結果、シャープネス強度Ｓが設定された場合は、次のステップＳ４０３に進む。
【００３２】
次に、ステップＳ４０３では、印刷装置１０７より印刷設定を取得し、この中から印刷時の用紙種類Ｐを取得する。ステップＳ４０４では、表示装置１０２から表示装置１０２の種類Ｍを取得する。ステップＳ４０５では、画像データを表示する際の表示倍率Ｚと実際の画素数Ｎとの情報を取得する。
【００３３】
次に、ステップＳ４０６では、変数ｉをＲＡＭ１０６上に作成し、初期値を０とする。ステップＳ４０７では、画像データのｉ番目の画素値ａ（ｉ）を取得する。ここで、ｉ番目の画素とは、画素の座標を（ｘ，ｙ）とし、画像データの幅をｗとしたときに、
ｉ＝ｘ＋ｙ×ｗ
で表される画素を指す。
【００３４】
次に、ステップＳ４０８では、ｉ番目の画素値ａ（ｉ）より、式（６）を用いて、輝度値によって決まる値Ｙを取得する。ステップＳ４０９では、ａ（ｉ）、Ｓ、Ｐ、Ｍ、Ｚと、式（１）〜（５）とを用いて、印刷時におけるノイズ量をエミュレートした画素値Ｄ（ｉ）を算出する。そして、ステップＳ４１０では、ＭＲのｉ番目の領域ＭＲ（ｉ）に、Ｄ（ｉ）を書き込む。
【００３５】
次に、ステップＳ４１１では、ｉを１だけ増加させる。そして、ステップＳ４１２では、ｉ＝Ｎであるか否かを判断する。この判断の結果、ｉ＝Ｎでない場合は、ステップＳ４０７に戻る。一方、ステップＳ４１２の判断の結果、ｉ＝Ｎである場合は、ステップＳ４１３において、ＭＲ（表示用データ）を表示装置１０２に表示させる。そして、処理を終了する。
【００３６】
このように、シャープネス強度Ｓ、印刷時の用紙種類Ｐ、表示装置１０２の種類Ｍ、画像データの表示倍率Ｚ、画素の輝度値を用いることによって、印刷時における、シャープネス処理のノイズの出具合を、表示装置１０２上で、エミュレートできる。
【００３７】
また、本実施形態では、Ｄ（ｉ）の値を算出するときに、図３に示すテーブルを用いたが、算出方法については他の計算式を用いてもよい。もし、表示デバイスの種類が増加した場合は、テーブルを追加することによって対処することができる。
【００３８】
（第２の実施形態）
本実施形態では、第１の実施形態と同様の処理において、表示デバイスのコントラスト比によって表示デバイスでのノイズの載せ方を変える方法について説明する。システム構成、ノイズ強調処理等については、第１の実施形態と同等であるので、説明は省略する。
【００３９】
図５に示す表５０１は、表示装置１０２のコントラスト比によって、その表示装置１０２の扱い方を決めるものである。表示装置１０２のコントラスト比は表示装置１０２の特性情報として表示特性情報取得手段により取得される。コントラスト比が１０００未満である場合は、画像データの輝度値の低い部分では、ノイズが見えにくい。そのため、このような表示装置１０２は、ＣＲＴと同様に、ノイズ強調を強めにする必要があるため、ＣＲＴとして取り扱う。逆に、コントラスト比が、１０００以上の場合は、ノイズがくっきり表示されるので、液晶ディスプレイとして取り扱う。以降は、図４に示すフローチャートに沿って、処理を実行する。
【００４０】
これにより、表示デバイスの表示性能のコントラスト値に応じて、処理を切り換えることが可能になり、より正確なエミュレート結果を得ることができる。また、本実施形態では、コントラスト比が１０００の場合を閾値としたが、この値は、印刷用紙の違いによって変えることができる。
【００４１】
（本発明に係る他の実施形態）
また、前述した実施形態の機能を実現するソフトウェアのプログラムコードを記録した記憶媒体（または記録媒体）を、システムあるいは装置に供給する。そして、そのシステムあるいは装置のコンピュータ（またはＣＰＵやＭＰＵ）が記憶媒体に格納されたプログラムコードを読み出し実行することによっても、各実施形態の目的が達成されることは言うまでもない。この場合、記憶媒体から読み出されたプログラムコード自体が前述した実施形態の機能を実現することになり、そのプログラムコードを記憶した記憶媒体は本発明を構成することになる。
【００４２】
また、コンピュータが読み出したプログラムコードを実行することにより、前述した実施形態の機能が実現される。さらに、そのプログラムコードの指示に基づき、コンピュータ上で稼働しているオペレーティングシステム（ＯＳ）などが実際の処理の一部または全部を行い、その処理によって前述した実施形態の機能が実現される場合も含まれることは言うまでもない。
【００４３】
さらに、記憶媒体から読み出されたプログラムコードが、コンピュータに挿入された機能拡張カードやコンピュータに接続された機能拡張ユニットに備わるメモリに書き込まれる。その後、そのプログラムコードの指示に基づき、その機能拡張カードや機能拡張ユニットに備わるＣＰＵなどが実際の処理の一部または全部を行い、その処理によって前述した実施形態の機能が実現される場合も含まれることは言うまでもない。
【００４４】
本発明を前記記憶媒体に適用する場合、その記憶媒体には、先に説明したフローチャートに対応するプログラムコードが格納されることになる。
【００４５】
プログラムを供給するための記憶媒体としては、例えば、フレキシブルディスク、ハードディスク、光ディスク、光磁気ディスクなどがある。さらに、ＭＯ、ＣＤ−ＲＯＭ、ＣＤ−Ｒ、ＣＤ−ＲＷ、磁気テープ、不揮発性のメモリカード、ＲＯＭ、ＤＶＤ（ＤＶＤ−ＲＯＭ、ＤＶＤ−Ｒ）などもある。
【００４６】
その他、プログラムの供給方法としては、クライアントコンピュータのブラウザを用いてインターネットのホームページに接続する方法がある。そして、前記ホームページから本発明のコンピュータプログラムそのもの、もしくは圧縮され自動インストール機能を含むファイルをハードディスク等の記録媒体にダウンロードすることによっても供給できる。
【００４７】
また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバも、本発明に含まれるものである。
【００４８】
また、その他の方法として、本発明のプログラムを暗号化してＣＤ−ＲＯＭ等の記録媒体に格納してユーザに配布し、所定の条件をクリアしたユーザに対し、インターネットを介してホームページから暗号化を解く鍵情報をダウンロードさせる。そして、その鍵情報を使用することにより暗号化されたプログラムを実行してコンピュータにインストールさせて実現することも可能である。
【００４９】
また、コンピュータが、読み出したプログラムを実行することによって、前述した実施形態の機能が実現される。さらに、そのプログラムの指示に基づき、コンピュータ上で稼動しているＯＳなどが、実際の処理の一部または全部を行い、その処理によっても前述した実施形態の機能が実現され得る。
【００５０】
さらに、その他の方法として、まず記録媒体から読み出されたプログラムが、コンピュータに挿入された機能拡張ボードやコンピュータに接続された機能拡張ユニットに備わるメモリに書き込まれる。そして、そのプログラムの指示に基づき、その機能拡張ボードや機能拡張ユニットに備わるＣＰＵなどが実際の処理の一部または全部を行い、その処理によっても前述した実施形態の機能が実現される。
【図面の簡単な説明】
【００５１】
【図１】本発明の第１の実施形態における画像表示装置のシステム構成例を示すブロック図である。
【図２】本発明の第１の実施形態のシャープネス処理において、画素の座標を示す図である。
【図３】本発明の第１の実施形態において、ノイズ増加量の算出テーブルの一例を示す図である。
【図４】本発明の第１の実施形態において、ノイズを増加する処理手順の一例を示すフローチャートである。
【図５】本発明の第２の実施形態において、表示デバイスの表示性能によって、種類を分別するためのテーブルの一例を示す図である。
【符号の説明】
【００５２】
１０１  入力装置
１０２  表示装置
１０３  蓄積装置
１０４  ＣＰＵ
１０５  ＲＯＭ
１０６  ＲＡＭ
１０７  印刷装置
【図１】
2008141529.tif 000003
【図２】
2008141529.tif 000004
【図３】
2008141529.tif 000005
【図４】
2008141529.tif 000006
【図５】
2008141529.tif 000007